(57)【要約】【課題】操作性に優れ、かつ衛生的な指圧器具の提供を目的とする。【解決手段】身体のツボを押圧可能な弾性を有する弾性ボールと、該弾性ボールの外周を保持するリング状の保持枠と、先端に保持枠が連結され基端にグリップ部が形成された操作棒とを備え、保持枠の内径を、弾性ボールの赤道面をわずかに弾性的に凹ませて保持しているので、緊固に保持することができ、また、操作棒により手の届かない部位でも容易に指圧することができる。さらに、弾性ボールを保持枠に対して着脱自在に保持しているので、弾性ボールの交換が可能で衛生的である。【選択図】  図３
0003169049.tif 000002
【実用新案登録請求の範囲】
【請求項１】
身体のツボを押圧可能な弾性を有する弾性ボールと、該弾性ボールの外周を保持するリング状の保持枠と、先端に前記保持枠が連結され基端にグリップ部が形成された操作棒とを備え、前記保持枠の内径は、前記弾性ボールの赤道面をわずかに弾性的に凹ませて弾性保持するよう、前記弾性ボールの自由状態における直径よりもわずかに小径に設定され、かつ弾性ボールが保持枠に対して着脱自在に保持されたことを特徴とする指圧器具。
【請求項２】
前記保持枠にマグネットが付設されたことを特徴とする請求項１に記載の指圧器具。
【考案の詳細な説明】
【技術分野】
【０００１】
本考案は、身体のツボ等を押圧して刺激する指圧器具に関するものである。
【背景技術】
【０００２】
身体の肩、背中、腰その他の身体の部位の筋肉がこる場合、その部位を押圧刺激すれば肩こり等が改善されることが知られている。
【０００３】
従来、この種の指圧器具として、特許文献１には、球状の合成ゴム材（軟球ボール）を筒状の細長い編紐の中に入れ、編紐の両端部に調整可能なベルトを設け、ウエスト部分より脊髄の両外に合成ゴム材を当て、数分間指圧し、その後、脊髄両側の指圧部位を随時変更しながら脊髄を矯正していくマッサージ器が開示されている。
【先行技術文献】
【特許文献】
【０００４】
【特許文献１】特開２０００−２１０３６４号公報
【考案の開示】
【考案が解決しようとする課題】
【０００５】
しかし、特許文献１のマッサージ器では、調整ベルトを使用して、ベルトの着脱によって身体への保持と離脱を行なうので、指圧部位を変更したい場合、ベルトの着脱操作が必要となるため、その操作が煩雑となる。
【０００６】
また、マッサージ器は筒状の編紐を使用するため、使用頻度が増えて表面に汚れが発生した場合、編紐を洗濯するか、あるいは新しい編紐に交換して、常に衛生面を保つ配慮も必要になってくる。
【０００７】
本考案は、上記に課題に鑑み、ツボを刺激したり筋肉のこりを解消するために、操作性に優れ、かつ衛生的な指圧器具の提供を目的としている。
【課題を解決するための手段】
【０００８】
上記目的を達成するために、本考案に係る指圧器具では、身体のツボを押圧可能な弾性を有する弾性ボールと、該弾性ボールの外周を保持するリング状の保持枠と、先端に前記保持枠が連結され基端にグリップ部が形成された操作棒とを備え、前記保持枠の内径は、前記弾性ボールの赤道面をわずかに弾性的に凹ませて弾性保持するよう、前記弾性ボールの自由状態における直径よりもわずかに小径に設定され、かつ弾性ボールが保持枠に対して着脱自在に保持されたことを特徴とする。
【０００９】
上記構成によると、弾性ボールに与えられた適度な弾性により身体のツボを押圧刺激すると、弾性ボールの押圧力により、身体のこりが改善され、また、筋肉をほぐすことができる。
【００１０】
このとき、操作棒を備えているので、身体の押圧部位の変更も操作棒を持って指圧器具を移動するだけで、手の届かない部位でも容易に指圧することができ、操作性に優れている。
【００１１】
弾性ボールは、ツボ刺激に効く適度な弾性を備えておればよく、中実・中空を問わず採用することができる。テニスボール、ソフトボール、軟式球等、種々の弾性ボールを例示することができるが、特に、テニスボールが最もツボ刺激に適しており、かつ最も入手しやすく手頃感を有している。
【００１２】
また、弾性ボールを保持枠に対して着脱自在に保持すると、指圧器具を使用により弾性ボールが汚れた場合でも、新たな弾性ボールと即交換することができ、常に清潔感を保つことができる。
【００１３】
しかも、弾性ボールを保持枠に保持する際には、弾性ボールの赤道面をわずかに弾性的に凹ませて弾性保持するよう、保持枠の内径は弾性ボールの自由状態における直径よりもわずかに小径に設定されているので、弾性ボールの弾性復元力によって弾性ボールが保持枠に堅固に保持され、指圧器具を肩たたきとして使用しても弾性ボールが保持枠より外れるのを防止することができる。
【００１４】
また、保持枠にマグネットを付設すると、ツボの刺激と共に当てた部位の血流が良好になることが知られており、血行をよくすることができる。
【考案の効果】
【００１５】
以上のとおり、本考案によると、操作棒の先端にリング状の保持枠を設け、この保持枠の内側に外径が保持枠の内径よりも少し大きい弾性ボールを着脱自在に保持させたので、操作棒により肩たたき時の操作性にも優れ、かつ、弾性ボールが汚れた場合でも、新たな弾性ボールと即交換することができ、常に清潔感を保つことができる。
【図面の簡単な説明】
【００１６】
【図１】壁との間に本考案の実施形態である指圧器具を介在させて指圧を施している状態を示す概略図である。
【図２】床面に仰向した状態で床面との間に指圧器具を介在させて指圧を施している状態を示す概略図である。
【図３】本実施形態における指圧器具の背面側からみた斜視図である。
【図４】指圧器具の背面図である。
【図５】指圧器具の側面図である。
【図６】指圧器具の平面図である。
【図７】保持枠の一部切欠断面図である。
【図８】保持枠にマグネットを埋設した例を示す図である。
【考案を実施するための最良の形態】
【００１７】
以下、本考案の実施形態を図面に基づいて説明する。本考案に係る指圧器具１は、保持枠２と操作棒３と弾性ボール４とを備えている。
【００１８】
弾性ボール４は、身体のツボを押圧可能な適度な弾性を備えておればよく、中実・中空を問わない。テニスボール、ソフトボール、軟式球等、種々の弾性ボールを例示することができるが、本実施形態では、最もツボ刺激に適しており、かつ最も入手しやすく手頃感を備えたテニスボールを採用している。
【００１９】
保持枠２は、弾性ボール４の外周を保持する帯状リングから構成されている。帯状リングは、その剛性を保つために幅方向両端部に補強リブ２ａ，２ｂがリング内側に向けて突出している。補強リブ２ａ、２ｂによって形成される保持枠２の内径は、弾性ボール４の赤道面をわずかに弾性的に凹ませて弾性保持するよう、弾性ボールの自由状態における直径（外径）よりもわずかに小径に設定されている。
【００２０】
保持枠２は、合成樹脂製のものであって、弾性ボール４を弾性的に保持する機能を備えているため、剛性が大きく、しかも弾性に富むポリアセタール（ＰＯＭ）が使用される。ポリアセタールは、摩擦係数が少なく、耐摩耗性に優れ自己潤滑性がある。クリープ特性に優れ、耐疲労性に優れている。
【００２１】
弾性ボール４は、保持枠２に対して着脱自在に保持される。弾性ボール４は、保持枠２の補強リブ２ａ，２ｂによって、内側に凹んで弾性変形した状態で保持される（符号４ａは凹みを現わす）。
【００２２】
操作棒３は、その先端に保持枠２が連結され基端にグリップ部８が形成されている。操作棒３と保持枠２とは、帯状リングの側面で板厚方向に貫通する貫通孔を通してネジにより操作棒３の先端に螺合され、両者が連結される。
【００２３】
操作棒３の長さは、少なくとも身体の横幅の半分（１／２）以上の長さを有し、身体の横側から操作棒３を身体の背面側に侵入させ、身体の背部に押し当てることができるようになっている。
【００２４】
グリップ部８は手の掌に持ちやすい長さと太さに設定され、適宜、リング状溝からなる滑り止め８ａが施されている。滑り止め８ａはローレット加工したものや各種態様を採用することができる。
【００２５】
操作棒３は、静電気の起こりにくいフェノール樹脂から構成され、指圧器具の素材として好適である。その他、フェノール樹脂は、電気的、機械的特性が良好で、耐熱性、難燃性に優れている。
【００２６】
次に、上記指圧器具１の使用方法について説明する。図１は身体１０を壁面１１にもたれかけさせ、身体１０と壁面１１との間に指圧器具１を介在させて指圧を施している状態である。また、図２は床面１２に身体１０を仰向した状態で、身体１０と床面１２との間に指圧器具１を介在させて指圧を施している状態である。
【００２７】
いずれの姿勢においても、弾性ボール４を背中から腰にかけて点在するツボに当てたり、筋肉、例えば中殿筋に当てると、弾性ボール４に与えられた適度な弾性により身体のツボを刺激し、弾性ボール４の押圧力により、血行を促進し、身体のこりを改善し、また、筋肉をほぐすことができる。
【００２８】
このとき、操作棒３を備えているので、身体１０の押圧部位の変更も操作棒３を手で持って指圧器具１を移動するだけで、手の届かない部位でも容易に指圧することができ、操作性に優れている。
【００２９】
また、弾性ボール４を保持枠２に保持する際には、弾性ボール４の赤道面をわずかに弾性的に凹ませて弾性保持するよう、保持枠２の内径は弾性ボール４の自由状態における直径よりもわずかに小径に設定されているので、弾性ボール４の弾性復元力によって弾性ボール４が保持枠２に堅固に保持される。したがって、指圧器具１を肩たたきとして使用しても弾性ボール４が保持枠２から外れるのを防止することができる。
【００３０】
また、弾性ボール４を保持枠２に対して着脱自在に保持しているので、指圧器具１を使用により弾性ボール４が汚れた場合でも、新たな弾性ボール４と即交換することができ、常に清潔感を保つことができる。
【００３１】
図８は保持枠に磁石を埋設した例を示す図である。本例においては、保持枠２のリングに沿ってＳ極のマグネット５とＳ極のマグネット６とを交互に所定間隔をおいて配列したものである。
【００３２】
このように、保持枠２にマグネット５，６を付設すると、弾性ボール４による身体のツボを刺激すると共に、当てた部位の血流が良好になることが知られており、血行をよくすることができる。
【００３３】
なお、本考案は上記実施形態に限定されるものではなく、本考案の範囲内で多くの修正・変更を加えることができる。例えば、保持枠にマグネットを埋め込む以外に、ゲルマニウムを練り込む構成を採用してもよい。
【符号の説明】
【００３４】
１    指圧器具
２    保持枠
２ａ，２ｂ    補強リブ
３    操作棒
４    弾性ボール
４ａ  凹み
５，６    マグネット
８    グリップ部
８ａ    滑り止め
１０    身体
１１    壁面
１２    床面
【図１】
0003169049.tif 000003
【図２】
0003169049.tif 000004
【図３】
0003169049.tif 000005
【図４】
0003169049.tif 000006
【図５】
0003169049.tif 000007
【図６】
0003169049.tif 000008
【図７】
0003169049.tif 000009
【図８】
0003169049.tif 000010